(57)【特許請求の範囲】
【請求項１】
本体と、
実装面となる一方の面に少なくとも一つのＬＥＤが実装され、前記本体に取り付けられるＬＥＤ実装基板と、
前記少なくとも一つのＬＥＤの各ＬＥＤに対応するレンズが形成された板状の板状体であるレンズ形成部と、
前記レンズ形成部を選択的に収納可能な複数の収納部であって、どの収納部も、前記レンズ形成部が前記ＬＥＤ実装基板の前記実装面に対向し、かつ、前記レンズが対応する前記ＬＥＤに対向するように前記レンズ形成部を収納可能な複数の収納部を有するレンズ部ホルダとを備え、
前記レンズ部ホルダは、
前記レンズ形成部が前記複数の収納部のいずれかに選択的に収納されているＬＥＤ照明器具。
【請求項２】
前記レンズ部ホルダは、
着脱可能であり、脱状態のときに、前記複数の収納部のいずれかに選択的に収納されている前記レンズ形成部を、他の前記収納部に入れ替え可能な請求項１に記載のＬＥＤ照明器具。
【請求項３】
本体と、
実装面となる一方の面に少なくとも一つのＬＥＤが実装され、前記本体に取り付けられるＬＥＤ実装基板と、
前記少なくとも一つのＬＥＤの各ＬＥＤに対応するレンズが形成された板状の板状体であるレンズ形成部と、
前記レンズ形成部を収納可能な複数の収納部であって、どの収納部も、前記レンズ形成部が前記ＬＥＤ実装基板の前記実装面に対向し、かつ、前記レンズが対応する前記ＬＥＤに対向するように前記レンズ形成部を収納可能な複数の収納部を有するレンズ部ホルダとを備え、
前記レンズ形成部は、
前記レンズ部ホルダの前記収納部に、前記実装面に対向する面と対向しない面との表裏を逆にして、収納可能であるＬＥＤ照明器具。
【請求項４】
前記レンズ部ホルダは、
中空の円筒形状をなし、
前記複数の収納部の各収納部は、
前記中空の円筒形状の側面が円弧状に切り欠かれて形成された複数のスリットの各スリットとして形成される請求項３に記載のＬＥＤ照明器具。
【請求項５】
前記レンズ部ホルダは、
Ｃ字形状をなし、
前記複数の収納部の各収納部は、
前記Ｃ字形状の内周側に形成された複数の溝の各溝として形成される請求項３に記載のＬＥＤ照明器具。
【請求項６】
本体と、
実装面となる一方の面に少なくとも一つのＬＥＤが実装され、前記本体に取り付けられるＬＥＤ実装基板と、
前記少なくとも一つのＬＥＤの各ＬＥＤに対応するレンズが形成された板状の板状体であるレンズ形成部と、
前記レンズ形成部を収納可能な複数の収納部であって、どの収納部も、前記レンズ形成部が前記ＬＥＤ実装基板の前記実装面に対向し、かつ、前記レンズが対応する前記ＬＥＤに対向するように前記レンズ形成部を収納可能な複数の収納部を有するレンズ部ホルダとを備え、
前記レンズ部ホルダは、
中空の円筒形状をなし、
前記複数の収納部の各収納部は、
前記中空の円筒形状の側面が円弧状に切り欠かれて形成された複数のスリットの各スリットとして形成されるＬＥＤ照明器具。
【請求項７】
本体と、
実装面となる一方の面に少なくとも一つのＬＥＤが実装され、前記本体に取り付けられるＬＥＤ実装基板と、
前記少なくとも一つのＬＥＤの各ＬＥＤに対応するレンズが形成された板状の板状体であるレンズ形成部と、
前記レンズ形成部を収納可能な複数の収納部であって、どの収納部も、前記レンズ形成部が前記ＬＥＤ実装基板の前記実装面に対向し、かつ、前記レンズが対応する前記ＬＥＤに対向するように前記レンズ形成部を収納可能な複数の収納部を有するレンズ部ホルダとを備え、
前記レンズ部ホルダは、
Ｃ字形状をなし、
前記複数の収納部の各収納部は、
前記Ｃ字形状の内周側に形成された複数の溝の各溝として形成されるＬＥＤ照明器具。
【発明の詳細な説明】
【技術分野】
【０００１】
この発明は、ＬＥＤを光源とした照明器具に関する。例えば、ＬＥＤとレンズとの距離を簡易な構成で調整できるＬＥＤ照明器具に関する。
【背景技術】
【０００２】
従来技術では、ＬＥＤを光源として用いた照明器具の配光を制御するために、配光の異なるレンズを交互に配置したレンズ体と、光源に対してスライドさせてＬＥＤに対応するレンズを切り替えることによって配光を変化させる技術が開示されている（特許文献１参照）。また、ＬＥＤを光源として用いた照明器具の配光を制御するために、レンズを垂直方向に動かす事により配光を変える機構が開示されている（特許文献２参照）。
【先行技術文献】
【特許文献】
【０００３】
【特許文献１】特開２００４−１９９８９１号公報
【特許文献２】特開２００８−２１８０８４号公報
【特許文献３】特開２００９−４８０１４号公報
【発明の概要】
【発明が解決しようとする課題】
【０００４】
従来の照明器具では、配光を制御する場合に、それぞれ所望の配光に対応するレンズを用意して、レンズを入れ替えなければならないという課題があった。また、特許文献１及び２では構造が複雑になるため部品点数が増え、コストが上がってしまう、また、機構部分が大きくなり、器具自体が大型になってしまうという課題があった。
【０００５】
本発明は、種類の異なる多数のレンズを用意することなく照明の配光を調節でき、また、構造が簡単な照明器具の提供を目的とする。
【課題を解決するための手段】
【０００６】
この発明のＬＥＤ照明器具は、
本体と、
実装面となる一方の面に少なくとも一つのＬＥＤが実装され、前記本体に取り付けられるＬＥＤ実装基板と、
前記少なくとも一つのＬＥＤの各ＬＥＤに対応するレンズが形成された板状の板状体であるレンズ形成部と、
前記レンズ形成部を収納可能な複数の収納部であって、どの収納部も、前記レンズ形成部が前記ＬＥＤ実装基板の前記実装面に対向し、かつ、前記レンズが対応する前記ＬＥＤに対向するように前記レンズ形成部を収納可能な複数の収納部を有するレンズ部ホルダと
を備えた。
【発明の効果】
【０００７】
この発明により、種類の異なる多数のレンズを用意することなく照明の配光を調節でき、また、構造が簡単な照明器具を提供できる。
【図面の簡単な説明】
【０００８】
【図１】実施の形態１のＬＥＤ照明器具１１を示す斜視図。
【図２】図１のＡ−Ａ断面図（灯具１２）である。
【図３】実施の形態１の発光部１の分解斜視図。
【図４】実施の形態１の発光部１を示す正面図（Ｘ方向矢視）及び断面図。
【図５】実施の形態１のスペーサが２個の場合の断面図（レンズ配置図）。
【図６】実施の形態１の厚さの違うスペーサが２個の場合の断面図（レンズ配置図）。
【図７】実施の形態１のスペーサが１個の場合の断面図（レンズ配置図）。
【図８】実施の形態１のＬＥＤ２個を実装したときのＬＥＤ光源部とレンズを示す斜視図。
【図９】実施の形態１のＬＥＤ１個を実装したときのＬＥＤ光源部とレンズを示す斜視図。
【図１０】実施の形態２の灯具１２の発光部１を示す正面図及びＣ−Ｃ断面図。
【図１１】実施の形態２の灯具１２の発光部１を示す分解斜視図。
【図１２】実施の形態２のレンズ形成部５とＣ字形状のレンズ収納用カセットを示す斜視図。
【図１３】実施の形態２のレンズ形成部５をＣ字形状のレンズ収納用カセット２個で挟んだ状態を示す斜視図。
【発明を実施するための形態】
【０００９】
実施の形態１．
図１は、照明器具（スポットライト）を示す斜視図であり、図２は図１のＡ−Ａ断面図である。
【００１０】
図１に示すように、ＬＥＤ照明器具１１は、上部をダクトレール（ライティングレール）に取り付けられる電源部８と、電源部８から伸び、内部に電源部８から引き出されるハーネスが通されるアーム９と、アーム９で電源部８と物理的に接続され、本体を上下左右に可動する灯具１２とから構成される。
【００１１】
灯具１２は、ハーネスが接続されて電源部８から供給される電力によって点灯するＬＥＤ光源部３を有する発光部１と、発光部１のＬＥＤ光源部３が点灯することにより発する熱を外部に放熱する放熱部１０から構成される。
【００１２】
図２に示すように、ＬＥＤ照明器具１１の発光部１は、本体２の内部にＬＥＤ光源部３、スペーサ４、レンズ形成部５、固定用バネ６が収納されている。
【００１３】
以下、ＬＥＤ照明器具１１を構成する灯具１２の発光部１について図に基づいて説明する。
図３は、灯具の発光部１の分解斜視図である。
図４は、灯具の発光部１の正面図及び断面図である。図４の（ａ）は図１のＸ方向矢視である。図４の（ｂ）は図４の（ａ）のＢ−Ｂ断面図である。
【００１４】
図２に示すように発光部１は、円筒状の本体２と、本体２の底面に取付けられたＬＥＤ光源部３と、レンズ焦点距離調整用のスペーサ４ａ、スペーサ４ｂにより構成されるスペーサ４と、スペーサ４により「焦点距離」を調整することができるレンズ形成部５と、レンズ形成部５及びスペーサ４を本体２に固定する固定用バネ６とから構成されている。
【００１５】
（焦点距離）
ここで「焦点距離」とは、言い換えれば、ＬＥＤ３ａ（発光ダイオード）とレンズ形成部５との距離である。図１〜図４を参照して「焦点距離」を具体的に説明する。ＬＥＤ光源部３（ＬＥＤ実装基板）は、実装面３ｂ−１となる一方の面に少なくとも一つのＬＥＤ３ａが実装され、本体２に取り付けられる。レンズ形成部５は、各ＬＥＤ３ａに対応する複数のレンズ５−１（図１〜図４の例では４つ）が形成された板状の板状体である。レンズ形成部５は、各レンズ５−１が対応するＬＥＤ３ａに対向するように、ＬＥＤ光源部３（ＬＥＤ実装基板）の実装面３ｂ−１に対向して本体２に配置される。図２に示すように、スペーサ４ａ，４ｂは、ＬＥＤ光源部３の実装面３ｂ−１の側においてレンズ形成部５と共に実装面３ｂ−１の法線方向（図２のＹ方向、以下、法線Ｙ方向という）に積層して本体２に配置される。そしてスペーサ４ａ，４ｂは、積層された配置状態で法線Ｙ方向に略均一な厚さｔａ，ｔｂを有し、実装面３ｂ−１に対向して配置されるレンズ形成部５を、厚さｔａ，ｔｂによって、後述する図５、図６のように、レンズ形成部５の積層の順番に応じて法線Ｙ方向において位置決めする。以上のような、ＬＥＤ照明器具１１の構成において、ＬＥＤ３ａとレンズ５−１との距離が「焦点距離」ある。また、レンズ５−１はレンズ形成部５に形成されており、ＬＥＤ３ａは基板３ｂに固定的に実装されているので、「焦点距離」とは、ＬＥＤ３ａが実装された基板３ｂと、基板３ｂに対向して配置されるレンズ形成部５との法線Ｙ方向の距離である。
【００１６】
本体２は、ＬＥＤ光源部３からの発熱を放熱するためにアルミダイカスト等の熱伝導率の高い材料で形成されている。また、レンズ形成部５の回転を防止するために、本体２の内部側面の中心線に沿った位置に、左右対称にスリット２ａが設けられている。スリット２ａは、レンズ形成部５に設けられた突起部５ａ−１を円周方向で回転を拘束することにより、レンズ形成部５の回転を防止する。
【００１７】
ＬＥＤ光源部３は、ＬＥＤ３ａと、ＬＥＤ３ａが実装される基板３ｂとから構成される。ＬＥＤ光源部３は、本体２の底面（放熱部側）に設置される。
【００１８】
スペーサ４を構成する二つのスペーサ４ａ、スペーサ４ｂは円環状になっており、厚さは同じ（ｔａ＝ｔｂ）となっている。つまり、スペーサ４ａとスペーサ４ｂは同一形状である。
【００１９】
レンズ形成部５は、アクリルやポリカーボネートなどの透明樹脂で形成されている。ＬＥＤ光源部３の基板３ｂに実装された各ＬＥＤ３ａに対応する位置に、同じ数だけのレンズ５−１（焦点）が形成されている。レンズ形成部５は、対応するＬＥＤ３ａに対応するレンズ５−１（焦点）がずれないように、本体２に設けられたスリット２ａに沿うような突起部５ａ−１が設けられている。突起部５ａ−１により、本体２にレンズ形成部５を固定し押さえることで、レンズ５−１（焦点）の位置が本体２の内部において円周方向にずれるのを防止できる。
【００２０】
またスリット２ａと突起部５ａ−１の位置を非対称とすることでレンズの表裏を逆に挿入することを防止することができる。例えば、図３に示すように、円周方向の角度で０度と１８０度の位置に左右対称に突起部５ａ−１を設けるのではなく、円周方向の角度で０度の位置の突起部５ａ−１と、１２０度の位置の突起部５ａ−２とを設けてもよい。この場合、レンズ形成部５の表裏を逆に挿入しようとすると突起部５ａ−１、５ａ−２がスリット２ａに入らないため、レンズ形成部５の表裏を逆に取り付けることを防止することができる。また、レンズ形成部５の端部等の焦点距離の調整に影響がない場所に、レンズ形成部５の表裏の表示をすることで、使用者に注意を促してもよい。また、レンズ形成部５の表と裏で焦点距離が異なることを利用して、あえてレンズ形成部５の表裏を逆に設置してもよい。こうすることで、配光パターンを増やすことができる。このように、レンズの表と裏を逆に設置した場合、レンズの狭角を広角に変えることができる。
【００２１】
固定用バネ６は、１本のステンレスなどの金属を円形状に曲げるとともに、両端を一定の間隔を開けて内側に向けて折り曲げて形成される。固定用バネ６は、ステンレスなどのバネ鋼で形成されており、円形状で本体２に設けられた溝２ｂにはまり込み、レンズ形成部５やスペーサ４を固定している。
【００２２】
次に、スペーサ４とレンズ形成部５との位置関係（前述の焦点距離）について説明する。
図５の（イ）、（ロ）、（ハ）は、スペーサが２個の場合のレンズ形成部５の位置を調整した状態を示す断面図（レンズ配置図）である。
【００２３】
レンズ形成部５及びスペーサ４の取り付け順序を変えることにより、距離ａ、距離ｂ、距離ｃのように焦点距離を変えることができる。焦点距離を変えることで、ＬＥＤ光源部３から発光された光を、それぞれ所望の配光に変えることができる。図５において、スペーサ４ａ、スペーサ４ｂの厚さｔａ，ｔｂを同じ長さである距離ｄとすると、
（イ）の距離ａに対して、
（ロ）では、距離ｂ＝距離ａ＋距離ｄ、
（ハ）では、距離ｃ＝距離ａ＋２×距離ｄ
となる。このように、レンズ形成部５及びスペーサ４の取り付ける順序を変えることで３パターンの焦点距離を実現できる。
【００２４】
ＬＥＤ光源部３からの発光光は、レンズ形成部５の焦点までの距離が短くなっても長くなっても配光特性は広角となるので、レンズ形成部５が近い場合に焦点が合って狭角となるように設計すると良い。その場合、レンズ形成部５がＬＥＤ３ａから最も近いとき、焦点が合って狭角となる。一般的に、スポットライトにおいては、配光特性（１／２ビーム角）が１０度〜４０度の範囲とすることが多い。そのため、例えばＬＥＤ３ａとレンズ形成部５の距離が距離ａのとき、１／２ビーム角を１０度に設定し、次に、配光特性が最も広角となる、例えば、１／２ビーム角が４０°となるように、スペーサ４の厚さ（距離ｂ＋距離ｃ）を決定する。その後、配光特性が中角となる、例えば１／２ビーム角が２０°のときのスペーサ４ａの厚さ（距離ｂ）を決定する。
【００２５】
図６は厚さの違うスペーサが２個の場合のレンズ位置を調整した状態を示す断面図（レンズ配置図）である。スペーサ４ａとスペーサ４ｂの厚さが同じ場合は図５で説明した通りであるが、スペーサ４ａとスペーサ４ｂは同じでもよいし、異なる厚さでもよい。スペーサ４ａとスペーサ４ｂの厚さが異なる場合、スペーサ４ａと４ｂの順番を入れ替えることで、焦点距離を代えるパターンが一つ増える。このため、所望の配光パターンを増やすことができる。
【００２６】
また、スペーサ４の数量（分割数）は、２個とは限らず、１個でもよいし、複数個あっても構わない。３つ以上の複数のスペーサを使用して、さらにスペーサの厚さを変えることで、少ないスペーサの数で所望の配光パターンを大幅に増やすことができる。
【００２７】
なお、スペーサ４の説明において、前述したように、スペーサ４ａ、スペーサ４ｂの厚さを変えた場合、例えばスペーサ４ａ、スペーサ４ｂの厚さをそれぞれ距離ｄ、距離ｅ（仮に長さは距離ｄ＞距離ｅ）とする。この場合、図５において、（イ）、（ハ）では、スペーサ４ａとスペーサ４ｂの順序をかえても焦点距離は同じである（距離ａ，距離ｃに変化はない）。しかし、（ロ）に関しては、スペーサ４ａ、スペーサ４ｂの並びを変えると距離ｂが異なる。すなわち（ロ）において、左側からスペーサ４ｂ、レンズ形成部５、スペーサ４ａと積層する場合と、スペーサ４ａ、レンズ形成部５、スペーサ４ｂと積層する場合とでは、距離ｂが異なる。よって、焦点距離のパターンが、スペーサ４ａ、スペーサ４ｂの厚さが同一の場合に比べ一つ増える。
【００２８】
このとき、例えばＬＥＤ３ａとレンズ形成部５との距離が距離ａのとき、１／２ビーム角が１０度となるように設定し、それに合わせてＬＥＤ３ａとレンズ形成部５との距離が距離ｂ２のとき１／２ビーム角が２０度、距離ｂ１のとき１／２ビーム角が３０度、距離ｃのとき１／２ビーム角が４０度になるようにスペーサ４ａ、スペーサ４ｂの厚さを決定する。このようにスペーサの厚さも設計のパラメータに加えることで、配光特性の設計の幅を広げることができる。
【００２９】
なお、本実施の形態１では、本体の形状が円筒形状の場合について説明したが、本体の形状が四角柱形状などであっても構わない。
【００３０】
次に、本実施の形態の他の発光部１について説明する。
図７は、本実施の形態１の他の灯具１２を示す断面図（レンズ配置図）である。発光部１は、スペーサを１個で構成し、この１個のスペーサでレンズ位置を調整する。
【００３１】
スペーサ４が２つのスペーサ４ａ、スペーサ４ｂから構成される場合についてはすでに説明したが、焦点距離の調整が２パターンでよい場合は、スペーサ４を２つに分ける必要はなく、１つのスペーサ４としてもよい。
【００３２】
図７に示すように、一つのスペーサ４を使用し、レンズ形成部５との順番を入れ替えることで簡単に２種類の配光を得ることも出来る。使用者が必要とする配光のパターンが２種類で済む場合、発光部１を構成する必要な部品点数を減らすこともできるので、スペーサ４の使用する数を１つだけで済ませることも有効である。
【００３３】
図８を用いて実施の形態１の別の例として、発光部１のＬＥＤ光源部３がＬＥＤ３ａを基板３ｂに２個実装した例について説明する。図８は、本実施の形態の他の発光部１の一部を示す斜視図である。図８はＬＥＤ３ａを基板３ｂに２個実装した状態である。図２に示す構成に対して、ＬＥＤ光源部３とレンズ形成部５とが異なる。
【００３４】
実施の形態１の別の実施の形態として、発光部１のＬＥＤ光源部３がＬＥＤ３ａを基板３ｂに１個実装した例について説明する。図９は、本実施の形態１の他の発光部１の一部を示す斜視図である。図９はＬＥＤ３ａを基板３ｂに１個実装した状態である。図２に示す構成に対して、ＬＥＤ光源部３とレンズ形成部５とが異なる。
【００３５】
本実施の形態１において、ＬＥＤ光源部３は、４個のＬＥＤ３ａを基板３ｂに実装することによって構成されているが、前述の本実施の形態の別の実施の形態の例に示すとおり、ＬＥＤ３ａを実装する位置及び数量は、これに限られるわけではなく、ＬＥＤ３ａが１個以上であればよい。また、ＬＥＤ３ａを基板３ｂ上にどのように実装しても構わない。ＬＥＤ３ａを基板３ｂ上に実装する位置及び数量をどのように変更しても、その実装する位置及び数量に対応したレンズ形成部５の形状とスペーサ４の厚さによって、あらゆるＬＥＤ光源部３に対応することができる。
【００３６】
実施の形態１における、スペーサ４は、組み立て前に、各スペーサとレンズ形成部５との積層の順序が決められて組み立てられる。あるいは、使用状態にあるときに、別の配光特性を得るために、組み立て完成状態から分解され、再度、各スペーサとレンズ形成部５との積層の順序が決められて組み立てられる。このように、ＬＥＤ照明器具１１は、組み立て完成状態から分解し、再度、組み立てる際に、各スペーサ（一つでもよい）と、レンズ形成部５との法線Ｙ方向における積層順序の入れ替えが可能である。
【００３７】
実施の形態２．
本実施の形態２は、実施の形態１に示すスペーサ４の代わりに、レンズ収納用カセット７を用いたものである。以下、実施の形態１と異なる箇所についてのみ説明する。
【００３８】
図１０は、照明器具の灯具部を示す正面図及び断面図である。
図１０の（ｂ）は図１０の（ａ）のＣ−Ｃ断面図である。
図１１は、図１０の照明器具の灯具部を示す分解斜視図である。
図１２はレンズとＣ字形状のレンズ収納用カセットを示す斜視図である。
図１３は、図１０の照明器具のレンズをＣ字形状のレンズ収納用カセット２個で挟んだ状態を示す斜視図である。
【００３９】
レンズ収納用カセット７（レンズ部ホルダ）は、レンズを収納できるスリット（収納部）が複数設けられている。レンズ収納用カセット７は、いずれかのスリットにレンズ形成部５が挿入されることで、所望の配光を得ることができる。レンズ形成部５を例えばスリット７−３から他のスリット７−１に変えて収納すると、変えた後のレンズ形成部５の収納位置が変える前のレンズ形成部５の収納位置から、レンズ形成部５の板厚方向にスライドする。つまり、レンズ形成部５をスリット７−３からスリット７−１に変えると、スリット７−３の収納状態に対して、スリット７−１の収納状態は、スリット７−３の収納状態におけるレンズ形成部５の板厚方向にスライドした状態である。レンズ収納用カセット７は、レンズ形成部を所定のスリットに収納した状態で、収納したレンズ形成部５が実装面３ｂ−１に対向し、かつ、レンズ５−１が対応するＬＥＤ３ａに対向するように本体２に配置される。
【００４０】
また、スリットの幅を変えて、表裏を逆に設置することで、焦点距離を変えるパターンを増やし、設定可能な配光パターンの数を増やすこともできる。このレンズ収納用カセット７を使うことにより、実施の形態１でスペーサ４ａとスペーサ４ｂとの２部品から構成されていたスペーサ４が、ユニットとして１部品にまとまる。このため、部品の欠品などを防ぐことが出来、また、灯具１２の取り付け取り、取り外しのときの作業性も向上する。
【００４１】
また、レンズ収納用カセット７は、図１１に示すような円筒形状のものだけでなく、図１２に示すような円筒の上部をカットしたＣ字形状のユニットを使ってもよい。また、図１３に示すようなレンズ形成部５を上下から挟むように固定できる半円形状のユニット二つを組み合わせて使ってもよい。これらの場合も、スリットの幅を変えて、表裏を逆に設置することで、焦点距離を変えるパターンを増やし、設定可能な配光パターンの数を増やすことができる。
【００４２】
以上の実施の形態では、以下のＬＥＤ照明器具の一例を説明した。
本体と、
実装面となる一方の面に少なくとも一つのＬＥＤが実装され、前記本体に取り付けられるＬＥＤ実装基板と、
前記少なくとも一つのＬＥＤの各ＬＥＤに対応するレンズが形成された板状の板状体であって、前記レンズが対応する前記ＬＥＤに対向するように前記ＬＥＤ実装基板の前記実装面に対向して前記本体に配置される板状体であるレンズ形成部と、
前記ＬＥＤ実装基板の前記実装面の側において前記レンズ形成部と共に前記実装面の法線方向に積層して前記本体に配置され、かつ、積層された配置状態で前記法線方向に略均一な厚さを有し、前記実装面に対向して配置される前記レンズ形成部を前記法線方向の前記厚さによって前記レンズ形成部の積層の順番に応じて前記法線方向において位置決めする少なくとも一つのスペーサと
を備えたことを特徴とするＬＥＤ照明器具。
【００４３】
以上の実施の形態では、以下のＬＥＤ照明器具の一例を説明した。
前記ＬＥＤ照明器具は、
組み立て完成状態から分解し、再度、組み立てる際に、前記少なくとも一つのすべてのスペーサと、前記レンズ形成部との前記法線方向における積層順序の入れ替えが可能なことを特徴とするＬＥＤ照明器具。
【００４４】
以上の実施の形態では、以下のＬＥＤ照明器具の一例を説明した。
前記ＬＥＤ照明器具は、
前記本体に配置されたときにおける前記法線方向の前記厚さが異なる、少なくとも２つの前記スペーサを備えたことを特徴とするＬＥＤ照明器具。
【００４５】
以上の実施の形態では、以下のＬＥＤ照明器具の一例を説明した。
本体と、
実装面となる一方の面に少なくとも一つのＬＥＤが実装され、前記本体に取り付けられるＬＥＤ実装基板と、
前記少なくとも一つのＬＥＤの各ＬＥＤに対応するレンズが形成された板状の板状体であるレンズ形成部と、
前記レンズ形成部を収納可能な複数の収納部であって、前記レンズ形成部をいずれかの前記収納部から他のいずれかの前記収納部に変えて収納すると、変えた後の前記レンズ形成部の収納位置が変える前の前記レンズ形成部の前記収納位置から、前記板状体である前記レンズ形成部の板厚方向にスライドする複数の収納部を有し、前記レンズ形成部を所定の前記収納部に収納した状態で、収納した前記レンズ形成部が前記ＬＥＤ実装基板の前記実装面に対向し、かつ、前記レンズが対応する前記ＬＥＤに対向するように前記本体に配置されるレンズ部ホルダと
を備えたことを特徴とするＬＥＤ照明器具。
【符号の説明】
【００４６】
１  発光部、２  本体、２ａ  スリット、２ｂ  溝、３  ＬＥＤ光源部、３ａ  ＬＥＤ、３ｂ  基板、３ｂ−１  実装面、４  スペーサ、４ａ  スペーサ、４ｂ  スペーサ、５  レンズ形成部、５−１  レンズ、５ａ  突起部、６  固定用バネ、７  レンズ収納用カセット、８  電源部、９  アーム、１０  放熱部、１１  ＬＥＤ照明器具、１２  灯具。
【図１】
0005885807.tif 000002
【図２】
0005885807.tif 000003
【図３】
0005885807.tif 000004
【図４】
0005885807.tif 000005
【図５】
0005885807.tif 000006
【図６】
0005885807.tif 000007
【図７】
0005885807.tif 000008
【図８】
0005885807.tif 000009
【図９】
0005885807.tif 000010
【図１０】
0005885807.tif 000011
【図１１】
0005885807.tif 000012
【図１２】
0005885807.tif 000013
【図１３】
0005885807.tif 000014